(57)【要約】【課題】使用者が、非常に単純、容易、且つ迅速な方法で、取り換え可能な装置を家具部材の組み立ての後に取り付けることを可能とする、使用上の高い柔軟性を有する装置の構造を提供する。【解決手段】装置の構造は、ヒンジを家具部材に固定するためのベース３に取り付けられるアダプター４を備える。アダプター４は、長手方向に延び、装置を収容するボックス状要素５と、ボックス状要素５をベース３に側方から取り付けるために、ボックス状要素５から側方に突出する手段６をさらに有することを特徴とする【選択図】図１
2012511642.tif 000002
【特許請求の範囲】
【請求項１】
ヒンジを家具部材に固定するためのベースに取り付けられるアダプターを備え、
前記アダプターは、長手方向に延び、装置を収容するボックス状要素を有する、装置の構造であって、
前記アダプターは、前記ボックス状要素を前記ベースに側方から取り付けるために、前記ボックス状要素から側方に突出する手段をさらに有することを特徴とする、装置の構造。
【請求項２】
前記装置は、長手方向に延びる軸を有し、前記ボックス状要素内に長手方向に収容されることを特徴とする、請求項１に記載の装置の構造。
【請求項３】
前記固定手段は、前記ボックス状要素に一体的に設けられることを特徴とする、請求項１または２に記載の装置の構造。
【請求項４】
前記固定手段は、前記ボックス状要素の側壁から突出するフラップを有し、
前記フラップは、前記ベースに配置された固定ネジのヘッドの下側に挿入可能であって、外方に向けて開口するスロットを有することを特徴とする、請求項１〜３のいずれかに記載の装置の構造。
【請求項５】
前記固定手段は、前記ボックス状要素が取り付けられる独立した要素から構成されることを特徴とする、請求項１〜４のいずれかに記載の装置の構造。
【請求項６】
前記独立した要素は、長手方向に延びるプレートであって、
前記ボックス状要素の底壁が、前記プレートに取り付けられることを特徴とする、請求項５に記載の装置の構造。
【請求項７】
前記プレートは、長手方向に延びる本体部を有し、
前記本体部は、前記ボックス状要素の底壁に設けられたテーパーが挿入されてリベット留めされる貫通孔を含むことを特徴とする、請求項６に記載の装置の構造。
【請求項８】
前記プレートは、
前記本体部の長手方向に互いに離隔するように設けられ、前記ベースを取り囲むように適応された第一および第二側方突出部と、
前記ベースに設けられた特定のキャビティー内に挿入されるように適応された補助突起と、を有することを特徴とする、請求項７に記載の装置の構造。
【請求項９】
前記補助突起は、
前記第一側方突出部と前記本体部との間の角部に配置された第一突起部と、
前記第二側方突出部と前記本体部との間の角部に配置された少なくとも一つの第二突起部と、を含むことを特徴とする、請求項８に記載の装置の構造。
【請求項１０】
前記第二側方突出部は、フックを動作可能に支持しており、
前記フックは、バネの作用に従って、および逆らって、前記プレートを前記ベースにブロックするように、前記ベースに設けられた一つのキャビティー内に係止されることを特徴とする、請求項８または９に記載の装置の構造。
【請求項１１】
前記補助突起は、前記第一側方突出部の先端に設けられた第三突起部をさらに含むことを特徴とする、請求項８〜１０のいずれかに記載の装置の構造。
【請求項１２】
前記第二側方突出部は、歯部を含む回転偏心器を支持しており、
前記歯部は、前記ベースに対して前記プレートを引き付ける力を発生するように、前記ベースに設けられた更なるキャビティーに係止されるように適応されていることを特徴とする、請求項８〜１１のいずれかに記載の装置の構造。
【請求項１３】
前記装置の長手方向の位置を規定するために、前記ボックス状要素の後方領域において、前記装置の後端部と当接する調整ネジが、設けられ、
前記装置の前端部は、前記ボックス状要素の内部に設けられたガイドシート上を長手方向に摺動する中空のスライダーの内部に挿入されることを特徴とする、請求項１〜１２のいずれかに記載の装置の構造。
【請求項１４】
前記ボックス状要素の前壁の内側面と係合するように適応された歯部の内の一つと係合することによって、前記スライダーが完全に脱落してしまうことが防止されることを特徴とする、請求項１３に記載の装置の構造。
【請求項１５】
前記スライダーは、透明の材料によって構成され、
前記装置の前端部に、独立電源を有する光源が支持されることを特徴とする、請求項１３または１４に記載の装置の構造。
【請求項１６】
前記装置は、リニアタイプの流体減速機であることを特徴とする、請求項１〜１５のいずれかに記載の装置の構造。
【発明の詳細な説明】
【技術分野】
【０００１】
本発明は、ヒンジを家具部材に固定するためのベースに取り付けられるアダプターを備える装置の構造に関する。
【背景技術】
【０００２】
ドアや可動家具部材用の装置にブレーキをかけるためのアダプターは、欧州特許Ｎｏ．ＥＰ１４６７０５５号により、既に知られている。このアダプター本体には、当該アダプターを、ヒンジのアームをクリップ固定するために通常用いられるタイプの部材のベース上に固定する手段が、設けられている。ヒンジを固定するためのベースを備える部材単体に統合されたアダプターは、ドイツ国特許出願ＤＥ２０２００５０００８７６号により、公知となっている。
【先行技術文献】
【特許文献】
【０００３】
【特許文献１】ＥＰ１４６７０５５号公報
【特許文献２】ＤＥ２０２００５０００８７６号公報
【発明の概要】
【発明が解決しようとする課題】
【０００４】
従来技術に係るアダプターは、様々な種類の装置を、家具部材に簡単且つ正確に固定することを、常に可能とするものではない。なお、ドアは、標準的な固定ベースに固定されたヒンジ手段によって、家具部材に既に取り付けられている。ある場合においては、この目的のために、家具部材が適宜準備されていない場合に、固定の実行を複雑にする操作を行うことが必要となる。
【０００５】
それ故に、本発明の技術的目標は、ヒンジを家具部材に固定するためのベースに取り付けられるアダプターを備えた装置の構造であって、上記した従来技術の技術的な欠点を排除することができるものを提供することである。
【０００６】
この技術的目標の範囲において、本発明の目的は、ヒンジを家具部材に固定するためのベースに取り付けられるアダプターを備えた装置の構造であって、使用者が、非常に単純、容易、且つ迅速な方法で、取り換え可能な装置を家具部材の組み立ての後に取り付けることを可能とする、使用上の高い柔軟性を有する装置の構造を提供することである。
【課題を解決するための手段】
【０００７】
本発明に係る技術的目標や、上記した目的、および他の目的は、本願請求項１に記載の装置の構造を提供することによって達成される。この装置の構造は、ヒンジを家具部材に固定するためのベースに取り付けられるアダプターを備える装置の構造である。
【０００８】
さらに、本発明の他の特徴は、本願従属請求項によって規定される。
【０００９】
本発明に係るアダプター付き装置の構造は、予め適切な準備をすることも、家具部材または既に固定されたハードウェアの如何なるパーツも分解することも必要とすることなく、既にあるヒンジ固定用のベースを使用することによって、使用者が家具部材の組み立て作業の後にこの装置を取り付けるか否かを自由に選択することを可能とする。
【００１０】
本発明に係るアダプター付き装置の構造は、如何なるタイプのベースへの取り付けにも適したものである。すなわち、ベースの本体形状（十字、長手）や、ヒンジ（スクリューや、クリップ）および家具部材への取り付けのために設けられた固定タイプ、ならびに、アダプターの高さに関係なく、さらには、既に製造された製品に対する特定の変更または取り付けをすることなく、如何なるタイプのベースへも適宜に取り付けることができる。
【００１１】
本発明のさらなる特徴や有利な効果は、本発明に係るヒンジを家具部材に固定するためのベースに取り付けられるアダプターを備える装置の構造の好ましい（しかしながら排他的ではない）実施形態の説明から、より明確となるであろう。本発明の好ましい実施形態は、以下の図において、限定的ではない実施例として示されている。
【図面の簡単な説明】
【００１２】
【図１】本発明の第一の好ましい実施形態に係るアダプター付き装置の構造の斜視図であって、ネジ止めされた通常のヒンジの十字状ベースから分解された状態を示す。
【図２】図１に示すアダプター付き装置の構造の斜視図であって、ヒンジのベースに固定された状態を示す。
【図３】図１に示すアダプター付き装置の構造の拡大側方縦断面図を示す。
【図４】図１に示すアダプター付き装置の構造の斜視図であって、クリップが取り付けられた通常のヒンジの十字状ベースに取り付けられた状態を示す。
【図５】図１に示すアダプター付き装置の構造の拡大平面図であって、クリップが取り付けられた通常のヒンジの十字状ベースに取り付けられた状態を示す。
【図６】本発明の第二の好ましい実施形態に係るアダプター付き装置の構造の斜視図を示す。
【図７】図６に示すボックス状要素の斜視図を示す。
【図８】図６に示す固定プレートの斜視図を示す。
【図９】図６に示すアダプター付き装置の構造の斜視図であって、通常のヒンジの長手ベースに取り付けられた状態を示す。
【図１０】図６に示すアダプター付き装置の構造の平面図であって、通常のヒンジの長手ベースに取り付けられた状態を示す。
【図１１】本発明の第三の好ましい実施形態に係るアダプター付き装置の構造の斜視図を示す。
【図１２】図１１に示すアダプター付き装置の構造の平面図であって、通常のヒンジの長手ベースに取り付けられた状態を示す。
【発明を実施するための形態】
【００１３】
異なる実施形態において共通する部材に対しては、同じ参照番号を付して説明する。
【００１４】
上記図面を参照して、家具部材にヒンジを固定するためのベース３に装置を固定するアダプター４を備える装置１の構造が、図示されている。
【００１５】
アダプター４は、装置１を収容するための長手方向に延びるボックス状要素５を有する。この装置１は、ボックス状要素５に収容される長手方向に延在する様々のタイプの要素となり得るものである。
【００１６】
装置１は、例えば、減速機や、キャッチ、電動モーター、電池駆動の発光装置等によって構成されてもよい。
【００１７】
ここでの実施例としては、リニアタイプの流体減速機から構成された装置１について説明する。
【００１８】
有利には、アダプター４は、ボックス状要素５を側方からベース３に固定するために、ボックス状要素５から側方に突出する手段を有する。実質的には、固定手段は、当該固定手段の形状がベース３の形状と側方から完全に互い違いに交差するようにして、ボックス状要素５を固定する。
【００１９】
以下、図１〜図５に示す第一の好ましい実施形態について、詳しく説明する。
【００２０】
固定手段は、ボックス状要素５に一体的に設けられた部材として構成されている。この固定手段は、好ましくは、ボックス状要素５の側壁７から突出し、外方に向けて開口するスロット８が設けられたフラップ６を有する。また、固定手段は、ベース３上に配置された固定ネジ１０のヘッド９の下側に挿入可能となっている。
【００２１】
したがって、アダプター４を挿入するために、ベース３のネジ１０を僅かに緩め、スロット８をヘッド９の下側に挿入した後に、ネジ１０を再度締める構成とすることができる。
【００２２】
この操作は、全てのタイプの十字状のベース３において可能である。なぜならば、ベース３の側方フラップ６の高さは、ベース３の本体中央部分の高さに従って変わることがなく、常に一定となるためである。
【００２３】
これと類似して、この操作は、十字状ベーズ３へのヒンジの固定タイプに関わらず、可能となる。
【００２４】
事実、図１〜図３において、ヒンジがネジ止めを有している場合においても、図４および図５に示されたヒンジがクリップ留めを有している場合においても、理想的なアダプター４は、その両方に対して使用することが可能である。
【００２５】
次に、図６〜図１２に示された第二および第三の好ましい実施形態について説明する。
【００２６】
ベース３は、この場合、クリップ留めを有するヒンジのための、長手方向に延びる共通のベースである。
【００２７】
この実施形態においては、固定手段は、ボックス状要素５に取り付けられた独立した要素として構成されている。
【００２８】
この独立要素は、長手方向に延びるプレート１１であって、このプレート１１上に、ボックス状要素５の底壁が固定される。
【００２９】
プレート１１は、長手方向に延びる本体部１２を有し、この本体部１２は、ボックス状要素５の底壁に設けられた特定のテーパー１４が挿入される貫通孔１３を含む。テーパー１４は、貫通孔１３に挿入された後に、脱落防止のためにリベット留めされる。
【００３０】
プレート１１は、本体部１２の長手方向に互いに離隔する第一および第二側方突出部１５、１６を有し、第一および第二側方突出部１５、１６は、ベース３を取り囲むように適応されている。また、側方突出部１５に設けられた補助突起は、ベース３の角部に配置されたキャビティー１９内に挿入されるように適応されている。
【００３１】
補助突起は、第一側方突出部１５と本体部１２との間の角部に配置された第一突起部１７と、第二側方突出部１６と本体部１２との間の角部に配置された少なくとも一つの第二突起部１８とを含む。
【００３２】
図１１および図１２を参照して、第二側方突出部１６は、フック２１を動作可能に支持している。フック２１は、バネ２２の作用に従って、および逆らって、プレート１１をベース３にブロックするように、ベース３に形成された一つのキャビティー１９内に係止される。
【００３３】
側方突出部１５および１６は、本質的に、クリアランスなしに、ベース３の本体を囲み込む。そして、プレート１１は、フック２１によって、正確にベース３にブロックされるように側方から挿入される。
【００３４】
図６〜図１０を参照して、補助突起は、第一側方突出部１５の先端に設けられた第三突起部２４をさらに含む。第三突起部２４は、ベース３に形成されたキャビティー１９に挿入されるように適応されている。その一方で、第二側方突出部１６は、歯部２６を含む回転偏心器２５を支持している。この歯部２６は、ベース３に対してプレート１１を引き付ける力を発生するように、ベース３の後部に形成された更なるキャビティー２０に係止されるように適応されている。
【００３５】
ここで再度、上記した本願発明に係る全ての実施形態を参照して、装置１の長手方向の位置を規定するために、ボックス状要素５の後方領域において、装置１の後端部と当接する調整ネジ２７が、設けられている。装置１の前端部は、中空のスライダー２８の内部に挿入されている。このスライダー２８は、ボックス状要素５の内部に設けられたガイドシート２９上を長手方向に摺動する。
【００３６】
図示した形態の場合には、リニアタイプの流体減速機のピストンのステム先端は、調整ネジ２７と当接している。
【００３７】
ボックス状要素５の前壁内側と係合するように適応された歯部３０の内の一つと係合することによって、スライダー２８が完全に脱落してしまうことが防止される。中空のスライダー２８は、不透明の弾性材料によって構成されてもよい。また、例えば、図示はしないが、スライダー２８に収容された装置１が、その端部において微小光源（電池駆動ランプ）を保持している場合において、スライダー２８が、透明の材料によって構成されてもよい。
【００３８】
図面より、スライダー２８がヒンジボックスに設けられたフランジ３１とどのように当接するかは、明らかである。しかしながら、様々な家具デザインに対して装置をより良好に適合させるために、異なる高さのアダプターを提供することができるため、スライダー２８が家具部材のドア３２と直接当接するように構成することも、可能である。
【００３９】
上記のように想到された、ヒンジを家具部材に固定するためのベースに取り付けられるアダプターを備える装置の構造は、本発明の概念の範囲内において、多くの修正や変更を加えることが可能である。さらに、本発明の細部の全ては、技術的に同等な要素によって置換することも可能である。
【００４０】
実用上においては、使用される材料や寸法は、要求や技術状態に従って、如何なるものを適用してもよい。
【符号の説明】
【００４１】
１  装置、３  ベース、４  アダプター、５  ボックス状要素、６  フラップ、７  側壁、８  スロット、９  ヘッド、１０  固定ネジ、１１  プレート、１２  本体部、１３  貫通孔、１４  テーパー、１５，１６  側方突出部、１７，１８，２４  突起部、１９，２０  キャビティー、２１  フック、２２  バネ、２５  回転偏心器、２６，３０  歯部、２７  調整ネジ、２８  スライダー、２９  ガイドシート、３１  フランジ、３２  ドア。
【図１】
2012511642.tif 000003
【図２】
2012511642.tif 000004
【図３】
2012511642.tif 000005
【図４】
2012511642.tif 000006
【図５】
2012511642.tif 000007
【図６】
2012511642.tif 000008
【図７】
2012511642.tif 000009
【図８】
2012511642.tif 000010
【図９】
2012511642.tif 000011
【図１０】
2012511642.tif 000012
【図１１】
2012511642.tif 000013
【図１２】
2012511642.tif 000014
【国際調査報告】
2012511642.tif 000015
2012511642.tif 000016